(57)【要約】 【課題】  個人情報を隠蔽する際に情報隠蔽部材の位置合わせが容易な葉書作製シートを提供する。【解決手段】  一方の面に印字可能な情報表示面を有する基材シート２があり、その裏面に粘着剤層３が形成され、この粘着剤層３には基材シート２と同型の剥離シート４が剥離可能に重ねされている。基材シート２にはそれを所定サイズの例えば３つの領域に等分する折り線１１，１２が形成されている。情報表示面のうち折り線１１，１２によって区分される３つの領域のうち二つは粘着剤層３を内側にして互いに貼り合わせ可能であり、残りの一つは基材シート２を折り線１２によって情報表示面とは反対側に谷折りすることで粘着剤層３によって基材シートに貼り付けられる情報隠蔽面とされている。粘着剤層３と基材シート２との間の粘着強度は剥離不能であって、粘着剤層３と情報表示面との間の粘着強度は情報表示面から粘着剤層３を剥離可能となるように設定されている。【選択図】  図１
2006347130.tif 000002
【特許請求の範囲】
【請求項１】
一方の面に印字可能な情報表示面を有する基材シートと、この基材シートの前記情報表示面とは反対側の面に積層された粘着剤層と、この粘着剤層に剥離可能に重ねられた前記基材シートと同型の剥離シートとからなり、前記基材シートにはそれを所定サイズの３以上の領域に等分する折り線が形成され、前記情報表示面のうち前記折り線によって区分される各領域のうち少なくとも二つは前記粘着剤層を内側にして互いに貼り合わせ可能であり、残りの一つは前記基材シートを前記折り線によって前記情報表示面とは反対側に谷折りすることで前記粘着剤層によって前記前記基材シートの他の一つの領域に貼り付けられる情報隠蔽面とされ、かつ、前記粘着剤層と前記情報表示面との間の粘着強度は前記情報表示面から前記粘着剤層を剥離可能となるように設定されていることを特徴とする情報隠蔽カード作製用シート。
【請求項２】
前記基材シートの前記情報表示面には、前記情報隠蔽部に相当する領域に前記基材シートを透かし見ることを防止する地紋が印刷されていることを特徴とする請求項１記載の情報隠蔽カード作製用シート。
【請求項３】
前記基材シートの前記粘着剤層側の面には、前記基材シートを透かし見ることを防止する遮蔽印刷が施されていることを特徴とする請求項１または２記載の情報隠蔽カード作製用シート。
【請求項４】
前記粘着剤層は前記基材シートを透かし見ることを防止可能な不透明層とされていることを特徴とする請求項１ないし請求項３のいずれかに記載の情報隠蔽カード作製用シート。
【発明の詳細な説明】
【技術分野】
【０００１】
本発明は、例えば情報を隠蔽して郵送するための隠蔽葉書等を作成するための情報隠蔽カード作製用シートに関する。
【背景技術】
【０００２】
従来から、保険会社等が、口座振替の案内等の個人情報を通知・郵送する場合には、図２１に示すような隠蔽葉書１００が使用されている（例えば、特許文献１参照）。この隠蔽葉書１００は、個人情報１０１を印刷した後、疑似接着層を有する隠蔽用のシール１０３を印刷部分に貼り付けることで、個人情報を隠蔽するものである。そして、葉書を受領した顧客等は、シール１０３の疑似接着層を剥がして個人情報を確認する。
【特許文献１】特開平１１−２０３５０号公報（第１図）
【発明の開示】
【発明が解決しようとする課題】
【０００３】
しかしながら、従来の隠蔽葉書では、シールが葉書と別体とされていたため、このシールを個人情報部分に貼り付ける際に、位置合わせが難しいという問題点があった。
【０００４】
本発明は上記のような事情に基づいて完成されたものであって、個人情報等を隠蔽する際に、情報隠蔽部材の位置合わせが容易な情報隠蔽カード作製シートを提供することを目的とする。
【課題を解決するための手段】
【０００５】
＜請求項１の発明＞
上記の目的を達成するための手段として、請求項１の発明は、一方の面に印字可能な情報表示面を有する基材シートと、この基材シートの前記情報表示面とは反対側の面に積層された粘着剤層と、この粘着剤層に剥離可能に重ねられた前記基材シートと同型の剥離シートとからなり、前記基材シートにはそれを所定サイズの３以上の領域に等分する折り線が形成され、前記情報表示面のうち前記折り線によって区分される各領域のうち少なくとも二つは前記粘着剤層を内側にして互いに貼り合わせ可能であり、残りの一つは前記基材シートを前記折り線によって前記情報表示面とは反対側に谷折りすることで前記粘着剤層によって前記前記基材シートの他の一つの領域に貼り付けられる情報隠蔽面とされ、かつ、前記粘着剤層と前記情報表示面との間の粘着強度は前記情報表示面から前記粘着剤層を剥離可能となるように設定したところに特徴を有する。
【０００６】
＜請求項２の発明＞
また、請求項２の発明は、基材シートの情報表示面に、情報隠蔽部に相当する領域に基材シートを透かし見ることを防止する地紋を印刷したところに特徴を有する。
【０００７】
＜請求項３の発明＞
請求項３の発明は、請求項１または２記載の情報隠蔽カード作成シートにおいて、基材シートの粘着剤層側の面に、基材シートを透かし見ることを防止するために、例えば不透明インクをベタ印刷した遮蔽印刷を施したところに特徴を有する。
【０００８】
＜請求項４の発明＞
請求項４の発明は、請求項１ないし請求項３のいずれかに記載の情報隠蔽カード作成シートにおいて、粘着剤層は基材シートを透かし見ることを防止可能な不透明層としたところに特徴を有する。
【発明の効果】
【０００９】
＜請求項１の発明＞
本発明の情報隠蔽カードによって例えば隠蔽葉書を作成するには次のようにする。まず、基材シートが折り線によって例えば葉書サイズに三等分された領域を有するとし、その基材シートの情報表示面のうち一つの葉書サイズ領域に郵送用の宛名を印字し、隣接する他の領域に名宛人に通知するための配信情報を印刷する。そして、裏面の剥離シートを剥がして粘着剤層を露出させた上で、宛名を印字した宛名記載部と、配信情報を印字した配信情報記録部とを粘着剤層側が内側となる谷折りして互いに貼り付ける。次に、残りの一つの葉書サイズ領域の基材シートである情報隠蔽部を折り線によって粘着剤層側が内側となるように谷折りして配信情報記録部に貼り付ければ、配信情報が情報隠蔽部によって覆い隠されて宛名記載部だけが露出した状態の葉書となる。このような貼り合わせ作業において、情報隠蔽部は折り線によって他の領域とつながっているから、隠蔽用のシールが別体となっている従来の構造に比べて位置合わせが極めて容易である。そこで、貼り合わせて一枚の葉書としたものを投函して郵送すれば、配信情報は秘密状態のまま郵送することができる。
【００１０】
この葉書を受け取った名宛人は、基材シートの情報隠蔽部を配信情報記録部から引き剥がすようにすれば、粘着剤層と基材シートとの間の粘着強度は剥離不能であり、かつ、粘着剤層と情報表示面との間の粘着強度は情報表示面から前記粘着剤層を剥離可能となるように設定してあるから、情報隠蔽部を配信情報記録部から剥がし取ることができ、内部に印字してある配信情報を読み取ることができる。
【００１１】
＜請求項２〜請求項４の発明＞
情報隠蔽部に地紋が予め印刷したり（請求項２の発明）、基材シートの粘着剤層側の面に例えば不透明インクをベタ印刷した遮蔽印刷を施したり（請求項３の発明）、粘着剤層を不透明層としたり（請求項４の発明）すれば、基材シートが薄い場合であっても基材シートを透かして内部の配信情報記録部に印字した配信情報が読み取られることを確実に防止できる。
【発明を実施するための最良の形態】
【００１２】
＜第１実施形態＞
以下、本発明を例えば葉書を作成するための葉書作成用シートに適用した第１実施形態について図１ないし図８を参照しつつ説明する。
【００１３】
本実施形態の葉書作製用シート１は、例えば保険会社から顧客に送付される口座振替案内書を作製する際に使用されるものとして例示する。
【００１４】
この葉書作製用シート１は、図２に示すように、矩形状の基材シート２と、この基材シート２に塗布された粘着剤層３と、この粘着剤層３に重ねられて前記基材シート２と同型同大の剥離シート４との３層構造からなり、その縦寸法（短片側寸法）は定型の葉書サイズとほぼ同一であり、横寸法（長辺側寸法）は定型の葉書サイズの３倍の大きさである。
【００１５】
基材シート２は例えば紙製であって、その厚みは例えば約６０μｍで、一方の面は周知の表面加工が施されて例えばレーザプリンタやインクジェットプリンタ等の一般的なプリンタによって印刷可能な情報表示面とされており、それとは反対側の面には不透明インクがベタ印刷され、その上に前記粘着剤層３が塗布されている。
【００１６】
この粘着剤層３と基材シート２の裏面（情報表示面とは反対側の面）との間の粘着強度は剥離不能であって、粘着剤層３と基材シート２の表面（情報表示面側の面）との間の粘着強度は情報表示面から粘着剤層３を剥離可能となるように設定されている。なお、粘着剤層３と基材シート２の表面との粘着強度は、例えば０．５〜５０Ｎ／ｍとすることが好ましい。粘着剤層３の表裏両面と基材シート２との間の各粘着強度を適切に設定すべく粘着剤層３を剥離不能にするためには、例えば基材シート２の裏面を裏面よりも粗面化したり、裏面側に粘着剤層との親和性が高い表面処理を施したりすることで達成できる。また、逆に、粘着剤層２と基材シート２との間を剥離可能とするには、情報表示面側に印字可能であって粘着剤層２が粘着しにくい表面処理を施せばよい。剥離シート４は表面（粘着剤層３側の面）にシリコン処理等の粘着性を低下させる処理が施されており、粘着剤層３から容易に剥がし取ることができる。
【００１７】
また、上記の葉書作製用シート１には、図１に示すように、短辺方向に沿って全領域を定型葉書のサイズに三等分するように２本のミシン目１１、１２が形成されている。各ミシン目１１，１２は、基材シート２に剥離シート４を重ねた状態で形成したものであって両シート２，４を貫通して形成されており、そのミシン目１１，１２を中心にして基材シート２を折ることができ、これが基材シート２の折り線に相当する。なお、ミシン目１１，１２は基材シート２にのみ形成されていてもよい。
【００１８】
２本のミシン目１１，１２によって区分された同型同大の３つの領域のうち図１の中央に位置する領域はこの隠蔽葉書の郵送先を記載するための宛名記載部１Ａである。この宛名記載部１Ａには、「郵便はがき」の文字、切手貼付枠及び「親展」の文字が予め印刷されているが、ユーザが印字するまではその他の部分は白紙である。
【００１９】
この宛名記載部１Ａの左側に隣接する領域は、ユーザが名宛人に通知するための情報（配信情報）を印字するための配信情報記録部１Ｂであり、ユーザが所望の配信情報を印字するまでは白紙である。一方、宛名記載部１Ａの右側に隣接する領域は情報隠蔽部１Ｃである。ここには、図１に示すように、基材シート２を透かして内部を見ることを防止するための地紋が予め印刷されている。
【００２０】
一方、基材シート２の裏側に位置する剥離シート４については、図３に示すように、宛名記載部１Ａと配信情報記録部１Ｂとの間を区分するミシン目１１に沿って、その右側に数mm離れた位置にスリット１３が設けられ、これにより剥離シート４が二分されるようになっている。
【００２１】
本実施形態の葉書作製用シート１は以上の構成であり、次にその使用方法について説明する。
【００２２】
葉書作製用シート１を使用する場合には、ユーザが基材シート２の情報表示面のうち宛名記載部１Ａに顧客の宛名２１を印刷するとともに、配信情報記録部１Ｂには顧客に通知する配信情報２３を印刷する。この際、宛名記載部１Ａ及び配信情報記録部１Ｂは、いずれも基材シート２の同一の情報表示面に設けられているから、宛名２１及び配信情報２３は通常のプリンタにより片面印刷により同時に印刷することができる。また、基材シート２と剥離シート４とは同型同大であって段差のない一枚の紙として取り扱うことができるから、プリンタ印刷特性は良好である。
【００２３】
印字後、葉書作成用シート１を反転させ、図４に示すように、スリット１３から左側の剥離シート４を粘着剤層３から剥がし取って粘着剤層３を露出させる。次いで、ミシン目１１を中心に粘着剤層３側が内側となるように谷折りし、宛名記載部１Ａと配信情報記録部１Ｂとを背中合わせに貼り合わせる（図５及び図６参照）。このとき、スリット１３の右側の剥離シート４を予め剥がしておいてもよいが、残しておいた方が貼り合わせ作業を行い易い。また、右側の剥離シート４を残して貼り合わせる場合には、本実施形態ではミシン目１１とスリット１３とが数mmだけずれた位置に形成されているから、ミシン目１１を中心に基材シート２を谷折りする際に、剥離シート４のミシン目１１側の端縁が邪魔になることがなく、より作業性が良好となる。
【００２４】
そして、図５及び図６の矢印に示すように、残された情報隠蔽部１Ｃを配信情報記録部１Ｂ上に重ね合わせて貼り合わせれば、図７に示すように、一枚の定型サイズの葉書が完成する。この際、情報隠蔽部１Ｃと宛名記載部１Ａとはミシン目１２を介して連なっているから、隠蔽用のシールが別体となっている従来の構造に比べて位置合わせが極めて容易である。そこで、貼り合わせて一枚の葉書としたものを投函して郵送すれば、配信情報は秘密状態のまま郵送することができる。
【００２５】
このような葉書作製用シート１によって作製された葉書を受け取った顧客は、情報隠蔽部１Ｃの地紋の中に印刷されている例えば「矢印の方向に剥がして下さい」という取り扱い指示に従い（図７参照）、情報隠蔽部１Ｃの端縁に爪をかけて引き剥がせば、これを図５に示す状態に開封することができる。もちろん、この際、粘着剤層３と基材シート２との間の粘着強度は剥離不能であり、かつ、粘着剤層３と情報表示面との間の粘着強度は情報表示面から前記粘着剤層を剥離可能となるように設定してあるから、情報隠蔽部１Ｃの基材シート２を配信情報記録部から容易に剥がし取ることができ、内部に印字してある配信情報２３を確実に読み取ることができる。
【００２６】
以上のように、本実施形態によれば、配信情報記録部１Ｂの基材シート２に記載された配信情報２３を隠蔽するためには、単に情報隠蔽部１Ｃと宛名記載部１Ａとの境界で基材シート２を折り曲げればよく、隠蔽用のシールを別体として構成する場合と比べて位置合わせが容易となる。
【００２７】
また、本実施形態によれば、宛名記載部１Ａと情報隠蔽部１Ｃとの境界に折り目としてのミシン目１２が予め形成されているから、このミシン目１２に沿って折り曲げることにより、個人情報２３を隠蔽する際の位置合わせがさらに容易になる。なお、折り目としては、ミシン目に限らず、プレスにより形成した凹条や印刷により形成した折り線であってもよい。
【００２８】
さらに、本実施形態によれば、基材シート２のうち粘着剤層３側の面には不透明インクがベタ印刷されて遮蔽印刷が施され、かつ、情報隠蔽部１Ｃの基材シート２には地紋が印刷されているから、他人が情報隠蔽部１Ｃの基材シート２を透かして個人情報２３を読み取ろうとしても、読み取りが困難である。
【００２９】
なお、本実施形態において、上述の説明では、剥離シート４の右側部分を剥離せずに残したまま配信情報記録部１Ｂを宛名記載部１Ａに貼り合わせるようにしたが、これに限らず、図９に示すように、剥離シート４は全て剥がし取って配信情報記録部１Ｂを宛名記載部１Ａに貼り合わせてもよい。このようにすると、図１０に示すように剥離シート４が折り込まれなくなるから、全体の厚さ寸法を薄くすることができる。なお、このように粘着剤層３を向かい合わせて貼り付けると、粘着強度は約１００Ｎ／ｍとなった。
【００３０】
＜第２実施形態＞
図１１ないし図１３は本発明の第２実施形態を示す。前記第１実施形態と同一の構成については同一符号を付して重複する説明を省略し、異なるところについてのみ説明する。
【００３１】
この第２実施形態では、基材シート２及び粘着剤層３の構成は第１実施形態と同一であるが、剥離シート４の構成が異なる。図１１に示すように、剥離シート４はミシン目１１，１２に沿った２本のスリット１７，１８によって３枚に分割可能であり、右側のスリット１７はミシン目１１よりも数mm中央寄りに形成され、左側のスリット１８はミシン目１２よりもやはり数mm中央寄りに形成されている。
【００３２】
この葉書作成用シート１を使用するには、前記第１実施形態と同様に、まずユーザが基材シート２の情報表示面のうち宛名記載部１Ａ及び配信情報記録部１Ｂに宛名２１及び配信情報２３を印刷する。そして、葉書作成用シート１を反転させ、図１２に示すように、スリット１７の右側の剥離シート４と、スリット１８の左側の剥離シート４とを粘着剤層３から剥がし取り（中央の剥離シート４を残し）、粘着剤層３を露出させる。そして、まずミシン目１１を中心にして谷折りするように配信情報記録部１Ｂと宛名記載部１Ａとを貼り合わせ（図５と同様）、次に情報隠蔽部１Ｃを配信情報記録部１Ｂの上に貼り合わせる（図７と同様）。これにより、図１３に示すようになって一枚の葉書となる。これを開封する場合は、第１実施形態と同様に行う。
【００３３】
＜第３実施形態＞
図１４ないし図２０は本発明の第３実施形態を示す。この実施形態の葉書作成用シート２０においては、基材シート２、粘着剤層３および剥離シート４はともに定型のＡ４サイズであり、これらを４つの領域に等分するためのミシン目１４，１５が十字型に形成されている。基材シート２、粘着剤層３および剥離シート４の材質等は前記第１実施形態と同様である。
【００３４】
２本のミシン目１４，１５によって区分された同型同大の４つの領域のうち図１４の上段左側に位置する領域はこの隠蔽葉書の郵送先を記載するための宛名記載部２０Ａである。この宛名記載部２０Ａには、「郵便はがき」の文字、切手貼付枠及び「親展」の文字が予め印刷されているが、ユーザが印字するまではその他の部分は白紙である。
【００３５】
この宛名記載部２０Ａの右側に隣接する領域は、ユーザが名宛人に通知するための情報（配信情報）を印字するための第１の配信情報記録部２０Ｂ、その下段に隣接する領域は第２の配信情報記録部２０Ｃであり、これらはユーザが所望の配信情報を印字するまでは白紙である。一方、宛名記載部１Ａの下段に隣接する領域は情報隠蔽部２０Ｄである。ここには、図１４に示すように、基材シート２を透かして内部を見ることを防止するための地紋が予め印刷されている。
【００３６】
一方、基材シート２の裏側に位置する剥離シート４については、図１５に示すように、２本のミシン目１４，１５が基材シート２から貫通して十字型に形成されているだけである。
【００３７】
本実施形態の葉書作製用シート２０は以上の構成であり、次にその使用方法について説明する。
【００３８】
葉書作製用シート２０を使用する場合には、ユーザが基材シート２の情報表示面のうち宛名記載部２０Ａに顧客の宛名２１を印刷するとともに、第１及び第２の各配信情報記録部２０Ｂ，２０Ｃには顧客に通知する配信情報２３を印刷する。なお、第２の配信情報記録部２０Ｃには第１の配信情報記録部２０Ｂとは天地逆向きに印刷した例を図１４に示したが、必ずしもこのようにする必要はない。また、前記第１実施形態と同様に、宛名記載部２０Ａ並びに第１及び第２の各配信情報記録部２０Ｂ、２０Ｃは、いずれも基材シート２の同一の情報表示面に設けられているから、宛名２１及び個人情報２３は通常のプリンタにより片面印刷により同時に印刷することができる。また、基材シート２と剥離シート４とは同型同大であって段差のない一枚の紙として取り扱うことができるから、プリンタ印刷特性は良好である。
【００３９】
印字後、葉書作成用シート１を反転させ、まず図１６に示すように、剥離シート４のうち第２の配信情報記録部２０Ｃの裏側に位置する部分をミシン目１４，１５から切り取って除去し、かつ、基材シート２のうちミシン目１５の下半分を切り離しておく。そして、図１６の矢印に示すように、基材シート２の第２の配信情報記録部２０Ｃ部分をミシン目１４の右半部分を中心にして裏側に谷折りし、第１の配信情報記録部２０Ｂの裏側に背中合わせに貼り付ける（図１７参照）。
【００４０】
この後、剥離シート４のうち宛名記載部２０Ａの裏側に位置する部分をミシン目１４，１５から切り取って除去し、粘着剤層３から剥がし取って粘着剤層３を露出させる。そして、ミシン目１５の上半部分を中心に粘着剤層３側が内側となるように谷折りして宛名記載部２０Ａを第２の配信情報記録部２０Ｃの上に貼り合わせる（図１８参照）。最後に、残された情報隠蔽部２０Ｃの裏側に位置する剥離シート４を粘着剤層３から剥がし取り、その部分を宛名記載部２０Ａの裏側（第１の配信情報記録部２０Ｂ上）に重ね合わせて貼り合わせれば、図１９に示すように、一枚の葉書が完成する。この際、情報隠蔽部２０Ｄと第１の配信情報記録部２０Ｂとはミシン目１４を介して連なっているから、隠蔽用のシールが別体となっている従来の構造に比べて位置合わせが極めて容易である。そこで、貼り合わせて一枚の葉書としたものを投函して郵送すれば、配信情報は秘密状態のまま郵送することができる。なお、情報隠蔽部２０Ｃには地紋が印刷されているから、基材シート２が薄い場合であっても基材シート２を透かして内部の第１の配信情報記録部２０Ｂに印字した配信情報２３を読み取ることはできない。また、第２の配信情報記録部２０Ｄは、図２０に示すように基材シート２のうち宛名記載部２０Ａ部分によって覆い隠されているから、ここに印字した配信情報２３を読み取ることもできない。
【００４１】
このような葉書作製用シート２０によって作製された葉書を受け取った顧客は、情報隠蔽部２０Ｄの地紋の中に印刷されている例えば「矢印の方向に剥がして下さい」という取り扱い指示に従い（図１４参照）、情報隠蔽部２０Ｄの端縁に爪をかけて引き剥がせば、これを図１８に示す状態に戻すことができ、さらに、宛名記載部２０Ａ部分を第２の配信情報記録部２０Ｃから剥がすことにより図１７に示す状態に戻すことができ、背中合わせに貼り合わされている第１及び第２の各配信情報記録部２０Ｂ，２０Ｃを露出状態にして読み取ることができるようになる。
【００４２】
以上のように、本実施形態によれば、第１の配信情報記録部２０Ｂの基材シート２に記載された個人情報２３を隠蔽するために、単に情報隠蔽部２０Ｄと宛名記載部２０Ａとの境界で基材シート２を折り曲げればよく、隠蔽用のシールを別体として構成する場合と比べて位置合わせが容易となる。
【００４３】
また、本実施形態によれば、宛名記載部２０Ａ、第１及び第２の配信情報記録部２０Ｂ、２０Ｃ並びに情報隠蔽部２０Ｄとの境界に折り目としてのミシン目１４、１５が予め形成されているから、このミシン目１４，１５に沿って折り曲げることにより、個人情報２３を隠蔽する際の位置合わせがさらに容易になる。
【００４４】
さらに、本実施形態によれば、情報隠蔽部２０Ｄの基材シート２には、地紋が印刷されているから、他人が情報隠蔽部２０Ｄの基材シート２を透かして個人情報２３を読み取ろうとしても、読み取りが一層困難となる。
【００４５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４６】
（１）上記実施形態では、基材シートに遮蔽印刷を施すと共に、情報隠蔽部に地紋を印刷した例を示したが、いずれか一方だけでもよい。また、情報隠蔽部に施す模様は地紋でなくてもベタ印刷であっても良いし、他の広告等の印刷であってもよく、要は基材シートを透かし見ることができないような印刷であればよい。また、この地紋印刷や遮蔽印刷は基材シートの厚さ等の条件によっては不要の場合もあり、必要に応じて設ければよいものである。
【００４７】
（２）上記実施形態では、口座振替案内の用途に使用される葉書作製用シート１について説明したが、その用途は特に限定されないことはもちろんであり、また、葉書を作成するに限らず、情報を秘匿しながら手渡すような情報隠蔽カードに広く利用できるものである。
【００４８】
（３）上記各実施形態では、情報隠蔽部のサイズは配信情報記録部のサイズと同一で、両者がぴったりと重なり合うようにしたが、例えば情報隠蔽部の横幅寸法を配信情報記録部よりも僅かに小さくなるようにしたり、情報隠蔽部の隅部を小さく切り欠いた形状にすることにより配信情報記録部が一部露出するようにしてもよい。このようにすると、情報隠蔽部の端縁部に爪をかけて剥がすことにより、これを剥離するきっかけを作りやすくなるという利点がある。
【図面の簡単な説明】
【００４９】
【図１】第１実施形態の葉書作製用シートを示す表面図である。
【図２】図１のＡ−Ａ線で切断した断面図である。
【図３】葉書作製用シートの裏面図である。
【図４】葉書を作製する過程を示す葉書作製用シートの裏面図である。
【図５】葉書を作製する過程を示す葉書作製用シートの裏面図である。
【図６】図６のＢ−Ｂ線で切断した断面図である。
【図７】完成した隠蔽葉書を示す裏面図である。
【図８】図６のＣ−Ｃ線で切断した断面図である。
【図９】第１実施形態の異なる葉書作成過程を示す葉書作成用シートの裏面図である。
【図１０】異なる葉書作成過程によって完成した隠蔽葉書を示す断面図である。
【図１１】第２実施形態の葉書作成シートの裏面図である。
【図１２】その葉書作成過程を示す裏面図である。
【図１３】完成した葉書の断面図である。
【図１４】第３実施形態の葉書作製用シートを示す表面図である。
【図１５】その裏面図である。
【図１６】葉書作成過程を示す表面図である。
【図１７】葉書作成過程を示す表面図である。
【図１８】葉書作成過程を示す表面図である。
【図１９】完成した葉書の表面図である。
【図２０】そのＨ−Ｈ線で切断した断面図である。
【図２１】従来の隠蔽葉書を示す斜視図である。
【符号の説明】
【００５０】
１、２０…葉書作製用シート
１Ａ，２０Ａ…宛名記載部
１Ｂ，２０Ｂ，２０Ｃ…情報記載部
１Ｃ，２０Ｄ…情報隠蔽部
２…基材シート
３…接着剤層
４…剥離シート
１１，１２，１４，１５…ミシン目（折り目）
２１…宛名
２３…個人情報
【図１】
2006347130.tif 000003
【図２】
2006347130.tif 000004
【図３】
2006347130.tif 000005
【図４】
2006347130.tif 000006
【図５】
2006347130.tif 000007
【図６】
2006347130.tif 000008
【図７】
2006347130.tif 000009
【図８】
2006347130.tif 000010
【図９】
2006347130.tif 000011
【図１０】
2006347130.tif 000012
【図１１】
2006347130.tif 000013
【図１２】
2006347130.tif 000014
【図１３】
2006347130.tif 000015
【図１４】
2006347130.tif 000016
【図１５】
2006347130.tif 000017
【図１６】
2006347130.tif 000018
【図１７】
2006347130.tif 000019
【図１８】
2006347130.tif 000020
【図１９】
2006347130.tif 000021
【図２０】
2006347130.tif 000022
【図２１】
2006347130.tif 000023